(57)【要約】      （修正有）【課題】受信したコンテンツを他のユーザに配信可能であり、かつ、ユーザがコンテンツの購入意思を示した場合のみ課金が実施されるコンテンツ配信システムを提供する。【解決手段】コンテンツがディストリビュータによりネットワークに提供される手段と、前記コンテンツをユーザがネットワークを通じて受信する手段と、前記ユーザが前記コンテンツを購入する意思を表示する手段と管理者が前記ユーザに前記コンテンツの課金を行う手段からなるインターネットを通じて行うコンテンツ配信システムであって、購入する意思を表示する手段が示される前には前記課金が行われない。このシステムを応用して、ユーザが課金前にコンテンツを他のユーザに送ることができる。また、多種多様なコンテンツを一つのフォルダに入れてユーザに送ることができる。これにより、購入のインセンティブを高めることができる。【選択図】図１
2009009242.tif 000002
【特許請求の範囲】
【請求項１】
コンテンツがディストリビュータによりネットワークに提供される手段、
前記コンテンツをユーザがネットワークを通じて受信する手段、
前記ユーザが前記コンテンツを購入する意思を表示する手段、および
管理者が前記ユーザに前記コンテンツの課金を行う手段からなり、
前記購入する意思を表示する手段が示される前には前記課金が行われないことを特徴とするインターネットを通じて行うコンテンツ配信システム。
【請求項２】
コンテンツがディストリビュータによりネットワークに提供される手段、
前記コンテンツを一のユーザがネットワークを通じて受信する手段、
前記コンテンツを他のユーザが前記一のユーザより受信する手段、
前記他のユーザが前記コンテンツを購入する意思を表示する手段、及び
管理者が前記他のユーザに前記コンテンツの課金を行う手段からなることを特徴とするインターネットを通じて行うコンテンツ配信システム。
【請求項３】
前記コンテンツが音楽の著作物であることを特徴とする請求項２に記載のシステム。
【請求項４】
広告提供者より依頼された広告データおよびコンテンツ提供者より依頼されたコンテンツデータをウェブサイトに掲載する手段、
前記広告データ及び前記コンテンツデータに関し、共通の需要者に対応するものについて関連付けする手段、
前記関連付けしたデータをホストコンピュータに記憶させる手段、及び
前記広告及びコンテンツの管理と配信を行なう管理・配信手段、からなり、
ユーザの求めに応じて行うコンテンツの送信と同時に前記関連付けにより関連付けされた他のデータを同時送信し、
同時送信する前記他のデータに関しユーザへの到着時に課金されないことを特徴とするインターネットを通じて行うコンテンツ配信システム。
【請求項５】
前記他のデータの課金が前記ユーザによる購入時に行われることを特徴とする請求項４に記載のコンテンツ配信システム。
【請求項６】
前記他のデータに制限手段が付与してあり、前記制限を越えるとデータが入手不能になることを特徴とする請求項４に記載のコンテンツ配信システム。
【請求項７】
広告提供者より依頼された広告データおよびコンテンツ提供者より依頼されたコンテンツデータをウェブサイトに掲載するステップ、
前記広告データ及び前記コンテンツデータに関し、共通の需要者に対応するものについて関連付けするステップ、
前記関連付けしたデータをホストコンピュータに記憶させるステップ、及び
ユーザの求めに応じて行うコンテンツの送信と同時に前記関連付けにより関連付けされた他のデータを同時送信するステップを有し、
同時送信する前記他のデータに関しユーザへの到着時に課金されないことを特徴とするインターネットを通じて行うコンテンツ配信方法。
【請求項８】
前記他のデータの課金が前記ユーザによる購入時に行われることを特徴とする請求項７に記載のコンテンツ配信方法。
【請求項９】
前記他のデータに制限手段が付与してあり、前記制限を越えるとデータが入手不能になることを特徴とする請求項７に記載のコンテンツ配信方法。
【発明の詳細な説明】
【技術分野】
【０００１】
ユーザが入手を望むコンテンツをインターネット上で配信するシステムにおいて、コンテンツを受け取ったユーザがさらに他のユーザに当該コンテンツを送ることができ、ユーザが当該コンテンツの購入意思が示された後にのみ課金が行われることを特徴とするシステムに関する。
【０００２】
また、ユーザの求めるコンテンツをインターネット上で配信するシステムにおいて、予め、そのようなコンテンツを好むユーザに向けた他のコンテンツや広告を関連付けておき、当該他のコンテンツや広告を、ユーザの求めるコンテンツと同時に配信するシステムに関する。ユーザが求めるコンテンツ以外のコンテンツについては、ユーザがそのコンテンツを購入する際に課金される。
【背景技術】
【０００３】
【特許文献１】特開２００４−２３４１４６
【特許文献２】特開２００２−２９１０３７
【特許文献３】特開２００１−２８３０１６
【特許文献４】特開２００３−１５２７７０
【特許文献５】特開２００１−３１２６６７
【０００４】
従来、電子化したコンテンツをインターネット上で売買することは頻繁に行われている。ユーザによるコンテンツの視聴等を通じて質の高いコンテンツの提供を可能とする情報処理システムに関し特許文献１がある。サーバからインターネットを介してダウンロードされるデータを受信する機能を備えた通信端末装置に関し特許文献２がある。
送信するコンテンツがクーポンである場合に関し特許文献３がある。インターネットでのコンテンツ購入の際の課金技術に関し、特許文献４及び特許文献５がある。
【発明の開示】
【発明が解決しようとする課題】
【０００５】
ユーザが入手を望むコンテンツをインターネット上で配信するシステムにおいて、コンテンツを受け取ったユーザがさらに他のユーザに当該コンテンツを送ることができ、ユーザが当該コンテンツの購入意思を示した場合にのみ課金が行われるようなシステムを提供することを課題とする。
【０００６】
また、ユーザの求めるコンテンツをインターネット上で配信するシステムにおいて、予め、そのようなコンテンツを好むユーザに向けた他のコンテンツや広告を関連付けておき、当該他のコンテンツや広告をユーザの求めるコンテンツと同時に配信するシステムはなかった。この出願に係る発明は、そのようなシステムを提供することを課題とする。例えば、ユーザの求めるコンテンツが音楽データである場合に、その音楽データを求めるユーザが好む映像データや広告を、当該音楽データと同時に送信し、購買可能性の高いユーザにコンテンツを配信することができる。
【課題を解決するための手段】
【０００７】
コンテンツがディストリビュータによりネットワークに提供される手段、前記コンテンツをユーザがネットワークを通じて受信する手段、前記ユーザが前記コンテンツを購入する意思を表示する手段、および管理者が前記ユーザに前記コンテンツの課金を行う手段からなり、前記購入する意思を表示する手段が示される前には前記課金が行われないことを特徴とするインターネットを通じて行うコンテンツ配信システムにより課題を解決する。
コンテンツがディストリビュータによりネットワークに提供される手段、前記コンテンツを一のユーザがネットワークを通じて受信する手段、前記コンテンツを他のユーザが前記一のユーザより受信する手段、前記他のユーザが前記コンテンツを購入する意思を表示する手段、及び管理者が前記他のユーザに前記コンテンツの課金を行う手段からなることを特徴とするインターネットを通じて行うコンテンツ配信システムによって課題を解決する。ディストリビュータとは、コンテンツを公衆送信する権利を有する者すべてをいう。コンテンツが著作物である場合には、著作権者、公衆送信することについての著作権者から許諾を受けた者である。
【０００８】
ユーザがコンテンツ購入の意思を表示した場合ににのみコンテンツに関する課金を行うようにすることにより、それ以外の場合の課金を逃れることができる。
【０００９】
前記コンテンツが音楽の著作物であることを特徴とするシステムによって課題を解決する。前記コンテンツが音楽の著作物である場合には、システム利用者が著作物を公衆送信する権利、著作物を複製する権利、等を得ておく必要がある。
【００１０】
広告提供者より依頼された広告データおよびコンテンツ提供者より依頼されたコンテンツデータをウェブサイトに掲載する手段、前記広告データ及び前記コンテンツデータに関し、共通の需要者に対応するものについて関連付けする手段、前記関連付けしたデータをホストコンピュータに記憶させる手段、及び前記広告及びコンテンツの管理と配信を行なう管理・配信手段、からなり、ユーザの求めに応じて行うコンテンツの送信と同時に前記関連付けにより関連付けされた他のデータを同時送信し、同時送信する前記他のデータに関しユーザへの到着時に課金されないことを特徴とするインターネットを通じて行うコンテンツ配信システムにより課題を解決する。
【００１１】
コンテンツ提供者は、コンテンツの販売等を希望する企業、音楽家、イラストレーター、写真家等である。広告提供者も、同様に、広告を希望する企業、音楽家、イラストレーター、写真家等である。コンテンツは、音楽データ、動画データ、静止画データ、写真、文字データ（電子書籍）、チケット等である。ウェブサイトとは、管理者、コンテンツ提供者、広告提供者のウェブサイトである。
【００１２】
前記他のデータの課金が前記ユーザによる購入時に行われることを特徴とするコンテンツ配信システムにより課題を解決する。すなわち、ユーザによる購入の求めによらずにユーザの元に届いたコンテンツについては、ユーザの元に到着したときには課金がされず、ユーザが購入意思を明確にした後に課金がされる。
【００１３】
前記他のデータに制限手段が付与してあり、前記制限を越えるとデータが入手不能になることを特徴とするコンテンツ配信システムにより課題を解決する。ここにいう制限手段は、例えば時間による制限、アクセス回数による制限、である。制限を越えると他のコンテンツは入手不能となる。このような制限を加えることにより、「他のコンテンツ」の購入意思の時期が無制限に引き伸ばされることがなく、ユーザの意思決定を促す結果が導き出される。コピーが可能であるか否かの制限も課される。
【００１４】
広告提供者より依頼された広告データおよびコンテンツ提供者より依頼されたコンテンツデータをウェブサイトに掲載するステップ、前記広告データ及び前記コンテンツデータに関し、共通の需要者に対応するものについて関連付けするステップ、前記関連付けしたデータをホストコンピュータに記憶させるステップ、及びユーザの求めに応じて行うコンテンツの送信と同時に前記関連付けにより関連付けされた他のデータを同時送信するステップを有し、同時送信する前記他のデータに関しユーザへの到着時に課金されないことを特徴とするインターネットを通じて行うコンテンツ配信方法により課題を解決する。
【００１５】
前記他のデータの課金が前記ユーザによる購入時に行われることを特徴とするのコンテンツ配信方法により課題を解決する。
【００１６】
前記他のデータに制限手段が付与してあり、前記制限を越えるとデータが入手不能になることを特徴とするコンテンツ配信方法により課題を解決する。
【発明を実施するための最良の形態】
【００１７】
（第一の実施形態）
図１に、管理者（１）、ディストリビュータ（２）、ユーザＡ〜ユーザＣ（３）、ネットワーク（４）の関係を示す。
【００１８】
ディストリビュータはコンテンツをネットワークに掲載し、コンテンツ入手を望むユーザを募る。コンテンツの入手を望むユーザＡはネットワークを通じてコンテンツを入手する。コンテンツを入手する時は課金されない。ユーザＡはコンテンツをユーザＢに送り、ユーザＢはコンテンツをはユーザＣに送る。このようにコンテンツは、ユーザ間を転転とする。仮にユーザＣが、コンテンツの購入を決めたとする。コンテンツが購入されたときには課金がされる。対価の徴収は管理者が行う。ときに初めて課金がされる。
【００１９】
第一の実施例では例えばコンテンツが音楽の著作物である場合が想定される。
【００２０】
（第二の実施形態）
図２に、広告提供者（５）、コンテンツ提供者Ａ（６）、コンテンツ提供者Ｂ（７）、管理者（６）、ユーザ（１０）の関係を示す。
【００２１】
広告提供者は、広告を提供することに関し管理者に依頼する。コンテンツ提供者Ａは、管理者に、コンテンツＡを販売等により提供することを依頼する。コンテンツ提供者Ｂは、管理者に、コンテンツＢを販売等により提供することを依頼する。実際にはコンテンツ提供者はＡ、Ｂ、Ｃ、Ｄ、・・・・・と多数ある。
【００２２】
管理者は、広告管理・配信サーバ及びコンテンツ管理・配信サーバは、広告と各コンテンツの関連付けをコンテンツの需要層等の情報に基づき行い、関係付けのＩＤ処理を行う。ＩＤ処理されたデータは広告管理・配信サーバ及びコンテンツ管理・配信サーバのメモリーに保存される。
【００２３】
コンテンツ提供者と広告提供者とに事業上の関連があり、事前に関連付けを希望する場合もある。例えば、自動車製造販売を行う企業が、新車のイメージ作りのための音楽を特定のミュージシャンに依頼し、キャンペーンの一環で新車のイラストを施したティーシャツを販売する場合である。この場合、広告提供者は自動車製造販売を行う企業であり、広告は新車に関する動画であり、コンテンツ提供者Ａはミュージシャンの所属事務所であり、コンテンツＡは音楽データであり、コンテンツ提供者Ｂはティーシャツを販売する企業であり、コンテンツＢはティーシャツの引換券のPDFデータである。これらはタイアップして宣伝効果を得たいので、ミュージシャンの音楽データと、ティーシャツの引換券と、新車の動画は関連付けされる。そして、音楽データが、ミュージシャンのホームページに提示してあり、ミュージシャンのファン（ユーザ）がホームページを通じて音楽データの購入を申し出る。
【００２４】
図３を参照して、甲（ユーザ）はコンテンツＡ（音楽データ）の購入を申し出る。広告管理・配信サーバ及びコンテンツ管理・配信サーバにおいてコンテンツＡと関連付けた他のコンテンツ及び広告が検索される。
【００２５】
コンテンツＡ（音楽データ）、コンテンツＢ（ティーシャツ引換券ＰＤＦデータ）、及び広告（新車の映像データ）が甲に送信される。このとき、コンテンツＡ、コンテンツＢのいずれも鍵がかかっている。鍵の解除手段は例えばカード決済の際にカードから送られるカード情報である。例えば、コンテンツの購入意思を固めカード決済を行うことが、鍵解除手段を講じることに相当する。
【００２６】
コンテンツＡ（音楽データ）の決済情報によりコンテンツＡの鍵が解除され、解除と同時にコンテンツＡの課金処理がされる。甲はこれにより音楽データをダウンロードする。甲は、音楽データのダウンロードにより、音楽データの購入という、当所の目的を果たしたが、音楽データと共に送ってきた新車の動画と、ティーシャツにも興味があり、購入を検討する。甲が、コンテンツＢ（ティーシャツ）の購入を決め、インターネットを通じて決済する際に、カードの決済情報によってコンテンツＢの鍵が解除され、同時にコンテンツＢの課金処理がされる。甲はこれによりティーシャツの引換券を入手する。
【００２７】
この一連のシステムにおいて、広告提供者は購買の可能性の高い需要者に向けて広告を行うことができるので利益がある。各コンテンツ提供者も、広告提供者と同様、自己の製品の販売増加につながる。管理者は、広告提供者及び各コンテンツ提供者から広告料を得ることができる。ユーザは自己の好みに合った製品についての情報を得ることができるので利点がある。
【図面の簡単な説明】
【００２８】
【図１】本願に係るシステムの概念を示す説明図である。
【図２】本願に係るシステムの概念を示す説明図である。
【図３】本願に係るシステムの概念を示すフローチャートである。
【符号の説明】
【００２９】
１  管理者
２  ディストリビュータ
３  ユーザ
４  ネットワーク
５  広告提供者
６，７  コンテンツ提供者
８  管理者
９  ネットワーク
１０  ユーザ
１１  広告管理・配信サーバ
１２  コンテンツ管理・配信サーバ
【図１】
2009009242.tif 000003
【図２】
2009009242.tif 000004
【図３】
2009009242.tif 000005